(57)【要約】【課題】  グループ通話の際、現在の出力音声がどのメンバからのものなのかを運転者が認識しやすいグループ通話装置を提供すること。【解決手段】  グループ通話装置１０は、車両に搭載され、２つ以上のスピーカ（図示は４個のスピーカ３１〜３４）と接続され、グループに属する一人以上のメンバと、スピーカ３１〜３４のいずれかとの対応を示すテーブルを保持する記憶部１３と、グループに属する各メンバと音声対話を行う際に、テーブルを参照し、今回入力された音声信号を、該音声信号が表す音声を発したメンバに対応するスピーカに向けて出力する制御部１２とを備える。【選択図】図１
2007306205.tif 000002
【特許請求の範囲】
【請求項１】
車両に搭載され、２つ以上のスピーカと接続されるグループ通話装置であり、
前記グループ通話装置は、
あらかじめ定められたグループに属する一人以上のメンバと、前記スピーカとの対応を示すテーブルを保持する記憶部と、
前記グループに属する各前記メンバと音声対話を行う際に、前記テーブルを参照し、今回入力された音声信号を、該音声信号が表す音声を発したメンバに対応する前記スピーカに向けて出力する制御部とを備える、グループ通話装置。
【請求項２】
今回の入力音声信号が表す音声を発したメンバに対応するスピーカをメインスピーカとし、該メインスピーカ以外の少なくとも１つのスピーカをサブスピーカとし、
前記制御部は、今回入力された音声信号を、前記メインスピーカと前記サブスピーカとに向けて出力し、
前記メインスピーカからの出力音は、前記サブスピーカからの出力音よりも大きい、請求項１に記載のグループ通話装置。
【請求項３】
前記制御部は、前記音声対話を開始する際に、前記音声対話に参加するメンバの情報を取得し、取得した情報に基づいて前記テーブルを生成することを特徴とする、請求項１記載のグループ通話装置。
【請求項４】
前記２つ以上のスピーカのうち少なくとも第１及び第２のスピーカは、前記車両の所定方向に沿って配置され、
前記テーブルには、前記第１のスピーカ及び第１のメンバの対応と、前記第２のスピーカ及び該第１のメンバと異なる第２のメンバの対応とが示される、請求項１に記載のグループ通話装置。
【請求項５】
前記所定方向は、前記車両の左右方向、前後方向及び斜め方向のいずれかである、請求項３に記載のグループ通話装置。
【請求項６】
前記制御部は、各々の前記スピーカから出力される音の大きさ、前記スピーカから出力される音の周波数特性のいずれか、もしくはその両方を、個別に設定することを特徴とする、請求項１記載のグループ通話装置。
【請求項７】
前記制御部は、前記音量値、前記周波数特性のいずれか、もしくはその両方を、メンバの指定に応じて変更することを特徴とする、請求項６記載のグループ通話装置。
【請求項８】
車両に搭載され、２つ以上のスピーカと接続されるグループ通話装置において用いられる通話方法であり、
前記通話方法は、
あらかじめ定められたグループに属する一人以上のメンバと、前記スピーカとの対応を示すテーブルを保持する記憶ステップと、
前記グループに属する各前記メンバと音声対話を行う際に、前記テーブルを参照し、今回入力された音声信号を、該音声信号が表す音声を発したメンバに対応する前記スピーカに向けて出力する処理ステップを備えることを特徴とする、通話方法。
【請求項９】
車両に搭載され、２つ以上のスピーカと接続されるグループ通話装置において用いられるコンピュータプログラムであり、
前記コンピュータプログラムは、
あらかじめ定められたグループに属する一人以上のメンバと、前記スピーカとの対応を示すテーブルを保持する記憶ステップと、
前記グループに属する各前記メンバと音声対話を行う際に、前記テーブルを参照し、今回入力されたメンバ音声信号を、該音声信号が表す音声を発したメンバに対応する前記スピーカに向けて出力するよ処理ステップを備えることを特徴とするコンピュータプログラム。
【請求項１０】
記憶媒体に記憶される、請求項９に記載のコンピュータプログラム。
【請求項１１】
車両に搭載され、２つ以上のスピーカと接続されるグループ通話装置に含まれる集積回路であり、
前記グループ通話装置は、あらかじめ定められたグループに属する一人以上のメンバと、前記スピーカとの対応を示すテーブルを保持する記憶部を備え、
前記集積回路は、
前記グループに属する各前記メンバと音声対話を行う際に、前記テーブルを参照して、今回入力された音声信号が表す音声を発したメンバに対応するスピーカを決定する決定部と、
前記決定部により決定されたスピーカに向けて、今回入力された音声信号を送信する送信部とを備える、集積回路。
【発明の詳細な説明】
【技術分野】
【０００１】
本発明は、グループ通話装置および方法に関し、より特定的には複数（好ましくは２人以上）の対話相手と同時に音声対話を行うことのできる、グループ通話装置および方法に関するものである。
【背景技術】
【０００２】
近年の携帯電話の爆発的な普及とともに、車を運転している間にも通話を行ないたいという要求が高まっている。しかしながら運転者が携帯電話を手に確保し運転中に通話を行なうことは、国内法により制限されている。そこで運転者が運転中に携帯電話を手に確保せずに、車内に設置したマイクロフォンおよび拡声用のスピーカにより通話を行なうグループ通話装置の需要が高まっている。
【０００３】
従来のグループ通話装置は、Ａピラーの位置にスピーカおよびマイクロフォンが設置されている。運転者はマイクロフォンとスピーカを用いることで対話相手との音声対話を行う（例えば特許文献１参照）。
【特許文献１】特開２００２−２６１６８１号公報
【発明の開示】
【発明が解決しようとする課題】
【０００４】
ところで、近年、プッシュツートークオーバーセルラー（ＰｏＣ：Ｐｕｓｈ−ｔｏ−ｔａｌｋ  ｏｖｅｒ  Ｃｅｌｌｕｌａｒ）機能を搭載する携帯電話が普及してきており、車載用途への応用も検討されている。ＰｏＣを応用した車載用途のグループ通話装置では、複数のメンバからなるグループで、各メンバが携帯電話を用いて会話する形態を想定している。このような車載用途のグループ通話装置では、例えば、１メンバとしての運転者が、送話スイッチを押下している間は送話権を保持することができ、送話スイッチを離すと送話権が放棄され、グループのメンバが送話権を取得可能な状態となる。
【０００５】
また、ＰｏＣにおいてはグループに属する他のメンバすべてを相手に対話を行う。すなわち運転者が発した音声はグループに属する他のメンバすべてに届き、逆に、グループに属する他のメンバから発せられた音声は全て、自分のグループ通話装置に届く。
【０００６】
しかしながら、従来の車載用途のグループ通話装置では、各メンバの音声が同一スピーカから出力されるため、スピーカからの出力音声が誰からのものかを運転者が特定することが難しいという問題点がある。
【０００７】
本発明は、従来の問題を解決するためになされたもので、グループ通話の際、現在の出力音声がどのメンバからのものなのかを運転者が認識しやすいグループ通話装置を提供することを目的とする。
【課題を解決するための手段】
【０００８】
本発明のグループ通話装置は、車載に搭載され、２つ以上のスピーカと接続される。グループ通話装置は、あらかじめ定められたグループに属する１人以上のメンバと、前記スピーカとの対応を示すテーブルを保持する記憶部と、前記グループに属する各前記メンバと音声対話を行う際に、前記テーブルを参照し、今回入力されたメンバ音声信号を、該音声信号が表す音声を発したメンバに対応する前記スピーカに向けて出力する制御部を備える。
【０００９】
本発明は、グループ通話装置以外の他の態様として、それにおいて用いられる通話方法、コンピュータプログラム又は集積回路として実現可能である。
【発明の効果】
【００１０】
本発明は、あらかじめ定められたグループに属する１人以上のメンバと、前記スピーカとの対応を示すテーブルに従い、グループに属するメンバと音声対話（グループ通話）を行う際に、今回の入力音声信号メンバは所定のスピーカに出力される。言い換えれば、従メンバに割り当てられたスピーカから音声が出力されるようになるため、グループ通話の最中に、現在出力されている音声がどのメンバからのものなのかを運転者が認識しやすくなる。
【発明を実施するための最良の形態】
【００１１】
以下、本発明の実施の形態のグループ通話装置について、図面を用いて説明する。
【００１２】
図１は、本実施の形態に係るグループ通話装置１０の構成を示すブロック図である。図１において、グループ通話装置１０は、例示的には、ハンズフリー機能を有する携帯電話２０、車両に装備される第一のスピーカ３１、第二のスピーカ３２、第三のスピーカ３３、第四のスピーカ３４と接続される。この種のグループ通話装置１０の例としては、車両に設置可能なナビゲーション装置又はオーディオ装置、若しくは車載ＰＣ（Ｐｅｒｓｏｎａｌ  Ｃｏｍｐｕｔｅｒ）がある。グループ通話装置１０は、通信部１１と、制御部１２と、記憶部１３と、第一の音声処理部１４１と、第二の音声処理部１４２と、第三の音声処理部１４３と、第四の音声処理部１４４とを備えている。
【００１３】
通信部１１は、携帯電話２０を介して通信網に接続可能であって、グループ通話装置１０で、入力音声に基づいて生成された音声データ（発信側）を通信網に送出する。また通信部１１は、通信網を介して対話相手側から送られてくる相手側の音声データを受信する。また通信部１１は、音声データ以外にも、処理に必要なデータを送受する。このようなデータの例としては制御データがある。制御データとは、例えばＰｏＣにおける、送話権をグループのどのメンバが保持しているかを示す情報である。
【００１４】
制御部１２は、例えばＣＰＵ、ＲＯＭ及びＲＡＭを含む。ＣＰＵは、ＲＯＭに格納されたコンピュータプログラムを、ＲＡＭを作業領域として使いながら実行する。このような制御部１２の具体的な処理については後述するが、制御部１２は、大略的に述べると、通信部１１から入力される対話相手の音声データを、後述する記憶部１３に保持されるテーブルに従い、第一の音声処理部１４１と、第二の音声処理部１４２と、第三の音声処理部１４３と、第四の音声処理部１４４のいずれかに出力する。
【００１５】
記憶部１３には、グループに属するメンバと、音声出力に用いるべきスピーカとの対応を示すテーブルが格納される。ここでテーブルは、図２に示されるように、グループ毎に、そのグループに属するメンバと、各メンバ側の機器からの音声出力に使用されるスピーカの対応とを示す形で構成される。具体例を一つ挙げると、図３には、グループ１が示されている。このグループ１には、Ａさん、Ｂさん、Ｃさん、Ｄさんがメンバとして登録される。また、Ａさんの音声を出力すべきスピーカとして、第一のスピーカ３１が示される。また、Ｂさんの音声出力には第二のスピーカ３２が、Ｃさんの音声出力には第三のスピーカ３３が、Ｄさんの音声出力には第四のスピーカ３４が用いられることがテーブルには示される。
【００１６】
第一の音声処理部１４１は、制御部１２から入力された音声データを信号処理して、自身に接続された第一のスピーカ３１にて音に変換可能な電気信号の形式にし、処理済みの電気信号を第一のスピーカ３１に送出する。
【００１７】
第二の音声処理部１４２〜第四の音声処理部１４４は、制御部１２から入力された音声情報を信号処理して、それぞれに接続された第二のスピーカ３２〜第四のスピーカ３４にて音に変換可能な電気信号の形式にし、後段の第二のスピーカ３２〜第四のスピーカ３４に送出する。
【００１８】
以上のように構成されたグループ通話装置１０について、図３を用いてその動作を説明する。図３はＰｏＣが開始された際の、グループ通話装置１０の処理を示すフローチャートである。
【００１９】
ＰｏＣによるグループ通話の開始後（ステップＳ２００）、制御部１２は、これからグループ通話を行うグループの情報（以下、「グループ情報」という）を通信部１１経由で携帯電話２０より取得する（ステップＳ２０１）。
【００２０】
制御部１２は、ステップＳ２０１の次に、制御データの一つである、ＰｏＣによるグループ通話の終了を示す情報（以下、「終了通知」と称する）を受け取ったか否かにより、グループ通話を終了するか否かを判断する（ステップＳ２０２）。
【００２１】
ステップＳ２０２でＹｅｓと判断すると、図３の処理は終了する（ステップＳ２０９）。それに対して、ステップＳ２０２でＮｏと判断すると、制御部１２は、通信部１１経由で携帯電話２０より、送話権を確保したグループのメンバを示す情報（以下、「送話権状態」という）を受け取ったか否かにより、いずれかのメンバが送話権を確保したかどうかを判断する（ステップＳ２０３）。
【００２２】
ステップＳ２０３でＮｏと判断すると、制御部１２は、ステップＳ２０２を再度行う。それに対して、ステップＳ２０３でＹｅｓと判断すると、メンバ記憶部１３のテーブルから、現在通話中のグループを選択する（ステップＳ２０４）。このグループには、該グループに属するメンバと、各メンバ側の機器（音声データの送信元）からの音声出力に使用されるスピーカの対応が示されている。
【００２３】
制御部１２は、ステップＳ２０３で受信した送話権状態に示されるメンバに対応するスピーカを、ステップＳ２０４で選択したテーブルのグループから検索する。検索により得られたスピーカを、制御部１２は、送話権を確保したメンバに対応するスピーカとして決定する（ステップＳ２０５）。
【００２４】
ステップＳ２０４の次に、制御部１２は、通信部１１を介して、今回送話権を獲得したメンバ側の機器から送られくる音声データを、ステップＳ２０５で決定したスピーカに接続された音声処理部に送ることを開始する（ステップＳ２０６）。この処理により、音声処理部は、入力音声データに対して前述の処理を行った後、処理済みの音声データを、自身に接続されたスピーカに出力する。スピーカは、処理済の音声データに従って、今回発話したメンバの音声を出力する。
【００２５】
例えば、ステップＳ２０３で受信した送話権状態において、今回送話権を獲得したメンバがグループ１のＡさんであれば、使用スピーカは第一のスピーカ３１であるので（図３参照）、ステップＳ２０６において、今回受信した音声データは第一の音声処理部１４１に送られる。
【００２６】
ステップＳ２０６の次に、制御部１２は、制御データの一つである解放通知を受信したか否かにより、メンバが送話権を解放したか否かを判断する（ステップＳ２０７）。ステップＳ２０７でＹｅｓと判断すると、制御部１２は音声データの出力を停止し（ステップＳ２０８）、次のメンバが送話権を獲得することを待つ状態に戻る（ステップＳ２０２）。
【００２７】
上記のグループ通話装置１０は、複数のスピーカに対し音声データを個別的に出力可能であり、各メンバに対応するスピーカの割り当てをテーブルとして保持する。また、グループ通話装置は、テーブルを参照して、各メンバの音声を別々のスピーカで出力する。これによって、メンバ毎に音声が異なる位置から出力されるので、グループ通話装置のユーザは、現在発話しているメンバを特定することが容易になる。このように、本実施の形態に係るグループ通話装置によれば、グループ通話をより快適に実現することができる。
【００２８】
なお、以上の説明では、テーブルはあらかじめ記憶部１３に格納されているものとしたが、ＰｏＣ開始時に携帯電話２０からグループに属するメンバのリストを入手し、メンバとスピーカとの関係を動的に生成してもよい。
【００２９】
また、本実施の形態において、記憶部１３の内容を動的に変更してもよい。すなわちＰｏＣ開始時に参加していないメンバがいる場合、そのメンバにテーブル上割り当てられるスピーカを、その時点において別のメンバに割り当ててもよい。
【００３０】
また、本実施の形態において、第一の音声処理部１４１、第二の音声処理部１４２、第三の音声処理部１４３及び第四の音声処理部１４４は、第一のスピーカ３１、第二のスピーカ３２、第三のスピーカ３３及び第四のスピーカ３４から出力すべき音声の音量について重み付けをしてもよい。例えば第二のスピーカ３２が、本グループ通話装置のユーザからもっとも遠い位置に配される場合、第二の音声処理部１４２から出力される音声の音量を大きくしておくことで、本来空間的な減衰により小さくなる聴感上の音量を補正することができる。
【００３１】
また、第一の音声処理部１４１、第二の音声処理部１４２、第三の音声処理部１４３、第四の音声処理部１４４は、第一のスピーカ３１、第二のスピーカ３２、第三のスピーカ３３及び第四のスピーカ３４から出力すべき音声の音質について、メンバの声質に合わせ個別に設定しておいてもよい。例えば第一のスピーカ３１から音声を出力するメンバの声質が、その高域を強調することによってより聴き取りやすくなる場合、第一の音声処理部１４１は、入力音声信号について高域を強調する処理を行うことで、本グループ通話装置のユーザが音声をより聴き取りやすい構成を実現できる。
【００３２】
また、第一の音声処理部１４１、第二の音声処理部１４２、第三の音声処理部１４３、第四の音声処理部１４４は、第一のスピーカ３１、第二のスピーカ３２、第三のスピーカ３３及び第四のスピーカ３４から出力すべき音声の音量について、メンバの声質に合わせ個別に設定しておいてもよい。例えば第一のスピーカ３１から音声を出力するメンバの声が他のメンバの声より元来小さい場合、第一の音声処理部１４１は、入力音声信号について音量を大きくする処理を行うことで、本グループ通話装置のユーザが音声をより聴き取りやすい構成を実現できる。
【００３３】
また、第一の音声処理部１４１、第二の音声処理部１４２、第三の音声処理部１４３及び第四の音声処理部１４４は、第一のスピーカ３１、第二のスピーカ３２、第三のスピーカ３３及び第四のスピーカ３４から出力すべき音声の音量及び／又は音質について個別に調整を行ってもよい。例えば第一のスピーカ３１が割り当てられたメンバが周囲の雑音が大きい環境で発話しており音声が聞き取りにくい場合、第一の音声処理部１４１だけ入力音声信号のみを大きくするよう、本グループ通話装置のユーザが調整する釦などを設けておくことで、本グループ通話装置のユーザが音声をより聴き取りやすい構成を実現できる。
【００３４】
また、図１に示すように、車内において、第一のスピーカ３１〜第四のスピーカ３４は、グループ通話装置のユーザを基準として、概ね四方に配置される。このうち、第一のスピーカ３１及び第四のスピーカ３４は車両の概ね左右方向に並んで配置される。この場合において、グループのメンバが二人であれば、一方のメンバに第一のスピーカ３１を使用スピーカとし、他方のメンバに第四のスピーカ３４を使用スピーカとすると、ユーザは、自分の前方向から、通話相手の音声が聞こえてくることになるので、違和感無く、グループ通話を行える。
【００３５】
また、第一のスピーカ３１及び第二のスピーカ３２は車両の概ね前後方向に並んで配置される。この場合において、グループのメンバが二人であれば、一方のメンバに第一のスピーカ３１を使用スピーカとし、他方のメンバに第二のスピーカ３２を使用スピーカとすると、ユーザは、自分の前後からと、通話相手の音声が聞こえてくることになるので、より明確に通話相手を特定可能になる。この点については、第一のスピーカ３１及び第三のスピーカ３３は、車両の概ね斜め方向に並んで配置される場合も同様である。
【００３６】
また、本発明の実施の形態において、グループ通話装置と外部の携帯電話とが通信部を介して接続するものとしたが、携帯電話がグループ通話装置に内蔵される構成であってもよい。
【００３７】
また、図１に示すように、制御部１２は、集積回路により実現されても構わない。
【００３８】
次に、上述のグループ通話装置１０の代替例（以下、グループ通話装置１０ａ）について、図面を用いて説明する。
【００３９】
図４は、本変形例に係るグループ通話装置１０ａの構成を示すブロック図である。図４において、グループ通話装置１０ａは、前述のグループ通話装置１０と比較すると、制御部１２、第一の音声処理部１４１、第二の音声処理部１４２、第三の音声処理部１４３及び第四の音声処理部１４４が、制御部１２ａ、第一の音声処理部１４１ａ、第二の音声処理部１４２ａ、第三の音声処理部１４３ａ及び第四の音声処理部１４４ａに代わる点で相違する。それ以外の両グループ通話装置１０及び１０ａの間に相違点は無いので、図４において、図１に相当する構成には同一の参照符号を付け、それぞれの説明を省略する。
【００４０】
制御部１２ａは、通信部１１から入力される対話相手の音声データを、後述する記憶部１３に保持されるテーブルに従い、第一の音声処理部１４１ａと、第二の音声処理部１４２ａと、第三の音声処理部１４３ａと、第四の音声処理部１４４ａとに出力する。また、制御部１２ａは、第一の音声処理部１４１ａ、第二の音声処理部１４２ａ、第三の音声処理部１４３ａ及び第四の音声処理部１４４ａに、音量制御のための制御信号を出力する。この制御信号は、具体的には、第一の音声処理部１４１ａ、第二の音声処理部１４２ａ、第三の音声処理部１４３ａ及び第四の音声処理部１４４ａに対し増幅度を設定するための信号である。
【００４１】
第一の音声処理部１４１は、制御部１２ａからの制御信号で指定された増幅度で、入力された音声データを増幅して、自身に接続された第一のスピーカ３１にて音に変換可能な電気信号の形式にし、処理済みの電気信号を第一のスピーカ３１に送出する。
【００４２】
第二の音声処理部１４２〜第四の音声処理部１４４は、制御部１２ａからの制御信号で指定された増幅度で、入力された音声データを増幅して、それぞれに接続された第二のスピーカ３２〜第四のスピーカ３４にて音に変換可能な電気信号の形式にし、後段の第二のスピーカ３２〜第四のスピーカ３４に送出する。
【００４３】
以上のように構成されたグループ通話装置１０について、図５を用いてその動作を説明する。図５はＰｏＣが開始された際の、グループ通話装置１０の処理を示すフローチャートである。なお、図５は、図３と比較すると、ステップＳ２０５及びＳ２０６の代わりに、ステップＳ５０１〜Ｓ５０３を含む点で相違する。それ以外に両フローチャートには相違点は無い。それ故、図５において、図３のステップに相当するものには同一のステップ番号を付け、それぞれの説明を省略する。
【００４４】
前述の実施の形態で説明したステップＳ２０４の後、制御部１２ａは、ステップＳ２０３で受信した送話権状態に示されるメンバに対応するスピーカを、ステップＳ２０４で選択したテーブルのグループから検索する。検索により得られたスピーカを、制御部１２ａは、送話権を確保したメンバに対応するメインスピーカとして決定し、検索により得られたもの以外をサブスピーカとして決定する（ステップＳ５０１）。
【００４５】
ステップＳ２０４の次に、制御部１２ａは、第一の音声処理部１４１ａ〜第四の音声処理部１４４ａに対し個別に制御信号を送信する（ステップＳ５０２）。各制御信号は、前述の通り増幅度を指定する点では同じである。しかし、メインスピーカに接続された音声処理部向けの制御信号には、第１の増幅度が指定されており、サブスピーカに接続された音声処理部向けの制御信号には、第１の増幅度よりも小さい第２の増幅度が指定される。
【００４６】
また、制御部１２ａは、通信部１１を介して、今回送話権を獲得したメンバ側の機器から送られくる音声データを、第一の音声処理部１４１ａ〜第四の音声処理部１４４ａに送ることを開始する（ステップＳ５０３）。この処理により、第一の音声処理部１４１ａ〜第四の音声処理部１４４ａは、入力音声データを、入力制御信号で指定された増幅度で増幅した後、処理済みの音声データを、自身に接続されたスピーカに出力する。スピーカは、増幅後の音声データに従って、今回発話したメンバの音声を出力する。
【００４７】
例えば、今回送話権を獲得したメンバがグループ１のＡさんであれば、メインスピーカは第一のスピーカ３１と決定され、第二のスピーカ３２〜第四のスピーカ３４はサブスピーカと決定される。よって、第一のスピーカ３１からは相対的に大きな音量の音声が出力され、それ以外の第二のスピーカ３２〜第四のスピーカ３４からは、第一のスピーカ３１の出力音声よりも小さな音声が出力される。
【００４８】
以上のステップＳ５０３の後、前述の実施の形態で説明したステップＳ２０７以降が行われる。
【００４９】
上記のグループ通話装置１０ａによれば、大きな音声がメンバ毎に異なる位置（つまり、メインスピーカ）から出力されるので、グループ通話装置１０ａのユーザは、現在発話しているメンバを特定することが容易になる。また、同時に、ユーザは、サブスピーカから、小音量であるが、同じメンバからの音声を聞くことになる。これによって、ユーザとメンバとがあたかも一緒に対話しているかのような臨場感をユーザに与えることが可能となる。
【００５０】
なお、メインスピーカ以外の全てのスピーカをサブスピーカとして用いるとして説明した。しかし、これに限定されず、少なくとも１つのサブスピーカが用いられれば良い。
【００５１】
また、図４に示すように、制御部１２ａは、集積回路により実現されても構わない。
【００５２】
以上、本発明を詳細に説明したが、上記説明はあらゆる意味において例示的なものであり限定的なものではない。本発明の範囲から逸脱することなしに多くの他の改変及び変形例が可能であることが理解される。
【産業上の利用可能性】
【００５３】
以上のように、本発明にかかるグループ通話装置は、対話相手を特定しやすいことが望まれる車載ナビゲーション装置、車載オーディオ装置、車載ＰＣ等に好適である。
【図面の簡単な説明】
【００５４】
【図１】本発明の第１の実施の形態におけるグループ通話装置１０の構成を示すブロック図
【図２】図１に示す記憶部１３に格納されるテーブルの内容を例示する模式図
【図３】図１に示すグループ通信装置１０の処理を例示するフローチャート
【図４】図１に示すグループ通話装置１０ａの構成を示すブロック図
【図５】図４に示すグループ通信装置１０ａの処理を例示するフローチャート
【符号の説明】
【００５５】
１０，１０ａ  グループ通話装置
１１  通信部
１２，１２ａ  制御部
１３  記憶部
１４１，１４１ａ  第一の音声処理部
１４２，１４２ａ  第二の音声処理部
１４３，１４３ａ  第三の音声処理部
１４４，１４４ａ  第四の音声処理部
２０  携帯電話
３１  第一のスピーカ
３２  第二のスピーカ
３３  第三のスピーカ
３４  第四のスピーカ
【図１】
2007306205.tif 000003
【図２】
2007306205.tif 000004
【図３】
2007306205.tif 000005
【図４】
2007306205.tif 000006
【図５】
2007306205.tif 000007